(57)【要約】 【課題】  トロヨケ内の可動コアを確実に保持すること。地震発生時、可動コアを保持する保持板が可動コアの上下の動きに対応して変形すること。【解決手段】  トロヨケと、該トロヨケの奥の内壁面並びに上下の対向内壁との間にそれぞれ空隙部を設定して遊嵌合状態に嵌め込まれる枠状可動コアと、トロヨケ及び可動コアの正面側をカバーするように該可動コアに取り付けられるストライクとを備え、地震発生時、前記可動コアがストライクの傾斜状上下端部の変形に伴いトロヨケ内の後方空隙部ないし上下の空隙部へと多方向へ後退動するドア用錠受け金具に於いて、前記上下の空隙部４６に可動コア３の上下の動きに対応して弾性変形可能な先端部８ｂを有する保持板８を配設したことを特徴とするドア用錠受け金具。【選択図】  図７
2006161415.tif 000002
【特許請求の範囲】
【請求項１】
左右の側壁に切欠部を有しかつドア枠に嵌合状態に固定されるトロヨケと、切欠部にそれぞれ係合する保持ピンを有すると共に、少なくともトロヨケの奥の内壁面並びに上下の対向内壁との間にそれぞれ空隙部を設定して遊嵌合状態に嵌め込まれる枠状可動コアと、トロヨケ及び可動コアの正面側をカバーするように該可動コアに取り付けられるストライクとを備え、地震発生時、前記可動コアがストライクの傾斜状上下端部の変形に伴いトロヨケ内の後方空隙部ないし上下の空隙部へと多方向へ後退動するドア用錠受け金具に於いて、前記上下の空隙部に可動コアの上下の動きに対応して弾性変形可能な先端部を有する保持板を配設したことを特徴とするドア用錠受け金具。
【請求項２】
請求項１に於いて、保持板は断面釣り針状に形成され、その基端部は固定手段を介して可動コア３の上下の壁面或いはトロヨケ２の上下の内壁面にそれぞれ固定され、一方、フック状先端部は、トロヨケ２の上下の内壁面或いは可動コア３の上下の壁面にそれぞれ当接していることを特徴とするドア用錠受け金具。
【請求項３】
請求項１に於いて、保持板は弾性復帰変形機能を有することを特徴とするドア用錠受け金具。
【請求項４】
左右の側壁の上下端部に保持ピンを有しかつドア枠に嵌合状態に固定されるトロヨケと、保持ピンにそれぞれ係合する切欠部を有すると共に、少なくともトロヨケの奥の内壁面並びに上下の対向内壁との間にそれぞれ空隙部を設定して遊嵌合状態に嵌め込まれる枠状可動コアと、トロヨケ及び可動コアの正面側をカバーするように該可動コアに取り付けられるストライクとを備え、地震発生時、前記可動コアがストライクの傾斜状上下端部の変形に伴いトロヨケ内の後方空隙部ないし上下の空隙部へと多方向へ後退動するドア用錠受け金具に於いて、前記上下の空隙部４６に可動コア３Ａの上下の動きに対応して弾性変形可能な先端部を有する保持板８Ａを設けたことを特徴とするドア用錠受け金具。
【発明の詳細な説明】
【技術分野】
【０００１】
本発明は、地震時に適合するドア用錠受け金具に関する。
【背景技術】
【０００２】
特許文献１は、出願人が提案したものである。該特許文献１には、「左右の側壁に切欠部を有しかつドア枠に嵌合状態に固定されるトロヨケと、切欠部にそれぞれ係合する保持（係合）ピンを有すると共に、少なくともトロヨケの奥の内壁面並びに上下の対向内壁との間にそれぞれ空隙部を設定して遊嵌合状態に嵌め込まれる枠状可動コアと、トロヨケ及び可動コアの正面側をカバーするように該可動コアに取り付けられるカバー状ストライク（カバープレート）とを備え、地震発生時、前記可動コアがストライクの傾斜状上下端部の変形に伴いトロヨケ内の後方空隙部ないし上下の空隙部へと多方向へ後退動するドア用錠受け金具」が記載されている。
【０００３】
また、特許文献２には、前記特許文献１の構成を前提として、「可動コアの両端部に上下一対の補強枠体をそれぞれ固定的に組込み、これらの補強枠体の左右の側壁部には、可動コアの切欠部に対応する野球ベース形状の補強切欠部を形成したドア用錠受け金具」が記載されている。
【特許文献１】特開２００４−３６２７０
【特許文献２】特開２００４−３６２８４
【発明の開示】
【発明が解決しようとする課題】
【０００４】
本発明の第１の目的は、基本的には特許文献１の目的を前提とし、該特許文献１の問題点を解消する（簡単な構成により、トロヨケ内の可動コアを確実に保持する）ことである。また第２の目的は、地震発生時、可動コアを保持する保持板が可動コアの上下の動きに対応して変形することである。第３の目的は、保持片が可動コアの重量に耐えて通常の状態では形状が変形しない剛性的機能を有する場合には、上下バランス良く可動コアを保持することができると共に、地震発生時、保持片が容易に破損しないことである。その他の目的は、先端部が弾性変位しても、保持片は瞬時に弾性復帰し、望ましくはそのまま使い続けることができることである。
【課題を解決するための手段】
【０００５】
本発明のドア用錠受け金具は、左右の側壁１５ｃ，１５ｃに切欠部２０，２０を有しかつドア枠１に嵌合状態に固定されるトロヨケ２と、前記切欠部２０，２０にそれぞれ係合する保持ピン２１を有すると共に、少なくともトロヨケの奥の内壁面並びに上下の対向内壁との間にそれぞれ空隙部４５，４６を設定して遊嵌合状態に嵌め込まれる枠状可動コア３と、トロヨケ２及び可動コア３の正面側をカバーするように該可動コア３に取り付けられるストライク４とを備え、地震発生時、前記可動コアがストライクの傾斜状上下端部の変形に伴いトロヨケ２内の後方空隙部４５ないし上下の空隙部４６へと多方向へ後退動するドア用錠受け金具に於いて、前記上下の空隙部４６に可動コア３の上下の動きに対応して弾性変形可能な先端部を有する保持板を配設したことを特徴とする。
【０００６】
また、本発明のドア用錠受け金具は、左右の側壁１５ｃ，１５ｃの上下端部に保持ピン２１を有しかつドア枠１に嵌合状態に固定されるトロヨケ２Ａと、前記保持ピン２１にそれぞれ係合する切欠部２０Ａ，２０Ａを有すると共に、少なくともトロヨケの奥の内壁面並びに上下の対向内壁との間にそれぞれ空隙部４５，４６を設定して遊嵌合状態に嵌め込まれる枠状可動コア３Ａと、トロヨケ２Ａ及び可動コア３Ａの正面側をカバーするように該可動コア３Ａに取り付けられるストライク４とを備え、地震発生時、前記可動コアがストライクの傾斜状上下端部の変形に伴いトロヨケ２Ａ内の後方空隙部４５ないし上下の空隙部４６へと多方向へ後退動するドア用錠受け金具に於いて、前記上下の空隙部４６に可動コア３Ａの上下の動きに対応して弾性変形可能な先端部を有する保持板８Ａを配設したことを特徴とする。
【発明の効果】
【０００７】
（１）保持板をトロヨケ内に配設しても、地震発生時、地震の揺れに対応して施錠片と係合関係があるストライク及び可動コアが、トロヨケ内の後方空隙部ないし上下の空隙部へと多方向へ後退動することができる。したがって、ドアの開閉がスムースにできなくなる危険性を極力回避することができる。
（２）構成する各部品を合理的に組み合わせることができる。
（３）空隙部を利用し、かつ、簡単な構成により、トロヨケ内の可動コアを確実に保持する。
（４）地震発生時、可動コアを保持する保持板が可動コアの上下の動きに対応して変形する。
（５）保持片が可動コアの重量に耐えて通常の状態では形状が変形しない剛性的機能を有する場合には、上下バランス良く可動コアを保持することができると共に、地震発生時、保持片が容易に破損しない。
（６）請求項２に記載の実施例の場合には、先端部が邪魔にならないので、保持板を所望箇所に容易に固定することができる。
（７）請求項３に記載の実施例の場合には、保持片が弾性復帰変形機能を有するので、先端部が弾性変位しても、可能な限りそのまま使い続けることができる。
【発明を実施するための最良の形態】
【０００８】
以下、図１ないし図８を参照にして第１実施例を説明する。
【０００９】
（１）実施の環境
まず、図１及び図２に於いて、本発明の実施の環境部材を説明する。１はドア枠、２はドア枠に嵌合状態に固定されるトロヨケ、３はトロヨケ内に、少なくともトロヨケの奥の内壁面並びに上下の対向内壁との間にそれぞれ空隙部を設定して遊嵌合状態に嵌め込まれる枠状可動コア、４はトロヨケ２及び可動コア３の正面側を全体又は部分的にカバーするように可動コア３を介して間接的に又は直接前記ドア枠１の正面壁に当接状態に取り付けられるカバー状ストライク（或いはカバープレート）、５はドア枠１に対して開閉可能に設けられるドア、６はドア側に設けた錠前の第１の施錠片（ここではデッドボルト）、７はデッドボルト６と並存的に設けられた錠前の第２の施錠片（ここでは鎌片）である。なお、前記鎌片７は、防犯機能を高めるために設けられており、施錠時、図１で示すようにデッドボルト６と水平方向に重なった状態で可動コア３の正面壁２６の内壁面に対してその先端部が掛合可能な状態となっている。
【００１０】
図１はドア枠１にトロヨケ２、枠状可動コア３、カバー状ストライク４、それに、本発明の新規事項である上下一対の保持板８，８をそれぞれ適宜に組み合わせて固定的に取り付けた場合における通常の使用状態を示す。なお、本発明の特定要件に関係のない部分は省略してある。
【００１１】
（２）錠受け具の構成部材−ドア枠１
図２を参照にして錠受け具の構成部材を順番に説明する。まず簡略化したドア枠１から説明する。角筒部１０はドア５の垂直端面と対向する一部のみを示してある。１０ａは正面壁、１０ｂは背面壁、１０ｃ，１０ｃは左右の側壁、１１は前記正面壁１０ａに形成された縦長状の受入れ口、１２は受入れ口に連通するように左側の上下の部位にそれぞれ垂直線状に切欠されたストライク用切欠溝、１３はこれらの切欠溝１２，１２付近の正面壁１０ａに形成された上下のネジ孔である。
【００１２】
（３）トロヨケ２
次にトロヨケ２について説明する。トロヨケ２の形状は普通一般のそれと同様である。すなわち、トロヨケ２の部分を区分けすると、ドア枠１の受入れ口１１にスッポリトと入り込む正面開口の角形ケース部１５と、この角形ケース部１５の開口１６側の上下端部にそれぞれ一体形成された突片状の取付け片１７，１７とから成り、前記取付け片１７，１７には、ドア枠１のネジ孔１３，１３と符合する貫通孔１８，１８が形成されている。
【００１３】
しかして、本実施例では、前記角形ケース部１５の左右の側壁１５ｃ，１５ｃの上下の部位には、左右一対の保持ピン逃し用切欠部２０，２０がそれぞれ計４個形成されている。これらの切欠部２０は、図１で示すように、それぞれ上下一対の可動コア用保持ピン（係合ピン）２１，２１と関係する。
【００１４】
すなわち、各保持ピン２１は左右一対の逃し用切欠部２０，２０をそれぞれ貫通する。切欠部２０は、通常の使用状態では、一つの保持ピン２１の外周面と一部係合するやや半円弧状の小係合溝２０ａと、基準縁部としての小係合溝２０ａを基準にして角形ケース部１５の背面壁１５ｂ方向に拡大して幅広（例えば矩形状、垂直長孔状など）に広がる保持ピン逃し部２０ｂとを有している。
【００１５】
また、前記左右の側壁１５ｃ，１５ｃの上下部位寄りの部位には、小さな被係合部（例えば係合小孔、内壁面に形成された小さな溝など）２２，２２が形成されている。
【００１６】
（４）可動コア３
次に可動コア３について説明する。可動コア３は、図３で示すように、複数個の開口を有する箱型形状に形成されている。すなわち、３ａ，３ａは上下の正面壁で、本実施例では、施錠時、鎌片７の先端部はいずれか一方の正面壁３ａの内壁面に対して掛合可能な状態となっている（鎌片７は可動コアに対しては係合している）。
【００１７】
３ｃ，３ｃは左右の側壁、２５は前記正面壁３ａ，３ａの間に形成された縦長の前方開口、２６は正面壁３ａ，３ａにそれぞれ形成された上下の凹所、２７はこれらの凹所２６，２６にそれぞれ形成された上下のネジ孔、２８は前記左右の側壁３ｃ，３ｃの上下にそれぞれ形成された保持ピン用挿通孔、３０は左右の側壁３ｃ，３ｃの上下部位寄りの部位にそれぞれ形成され、かつ、前述したトロヨケ２の小さな被係合部２２，２２にそれぞれ係脱する小さな係合部（例えば小突起）、３１は上下の後方開口、３２は後方開口３１を上下に分断するように左右の側壁３ｃ，３ｃの中央部に固定的に横設した断面コ字型の施錠片用受け片である。
【００１８】
ところで、図１で示すように、可動コア３は係合部３０や上下の保持ピン２１，２１を介してトロヨケ２に遊嵌合状態に保持される。可動コア３がトロヨケ２に遊嵌合した時、可動コア３の小突起状の係合部３０，３０は、トロヨケ２の小さな被係合部２２，２２にそれぞれ係合する。したがって、トロヨケ２と可動コア３は、仮ではあるが一体的になる。
【００１９】
また、可動コア３に入り込んだ施錠片６の下面と前記受け片３２の水平上板部３２ａとの間には、多少のクリアランス（たとえば７ｍｍ程度）が設定されているが、地震発生時、受け片３２はドア枠の変形によってデッドボルト６の下面と水平上板部３２ａとが互いに衝突し合った場合その衝撃力を受ける。また本実施例では鎌片７も設けられているので、施錠片６と同時に鎌片７が後退しながら上昇した場合には、可動コア３の前方開口２５の上縁部が、両方の施錠片６，７からその衝撃力を受ける。
【００２０】
したがって、可動コア３は、両方の施錠片６，７がトロヨケ２側に移動してきた時、後述するように施錠片用受け片３２の水平上板部３２ａ等を介して後退上下動可能な状態となる。
【００２１】
（５）ストライク４
次にカバー状のストライク（カバープレート）４について説明する。３５はカバー部本体、３６はカバー部本体に上方と下方にそれぞれ連設する変形可能な傾斜状上下端部、３７はカバー部本体の右側端部から該カバー部本体に直交するように設けられた進入係合側壁、３８は可動コア３の前方開口２５と同一形状の正面開口、３９はカバー部本体の上下部に形成され、かつ、可動コア３のネジ孔２７，２７と符合するストライク固着具４０用の挿通孔である。
【００２２】
なお、ストライク４は、前記進入係合側壁３７に対向する他方側の側壁を有しない。またドア枠１の切欠溝１２に係合する進入係合側壁３７の上下の突片状端部３７ａ，３７ａと傾斜状上下端部３６，３６とは互いに切れている。
【００２３】
したがって、トロヨケ固着具４１，４１をカバーするストライク４の傾斜状上下端部３６，３６は、例えばストライク４を戸枠側に押し付ける略水平方向Ｘ、又はストライク４をドア５の端面側に押し付ける逆方向Ｘの衝撃力が作用すると変形可能である。
【００２４】
（６）保持板８
図１で示すように、保持板８は、トロヨケ２の上下の内壁面と可動コア３の上下壁３ｂ，３ｂとの間に設定された上下の空隙部４６，４６内にそれぞれ位置するように線対象状態に配設されている。ここでの線対象は、可動コア３の中心を通る横線を対象中心線とした場合に於ける上下の線対象を意味する。
【００２５】
本実施例の保持板８は、上下一対で「一組」を構成し、それぞれ断面釣り針状に形成されている。そして、各保持板８，８の基端部８ａ，８ａは、可動コア３の上下壁３ｂ，３ｂに固定手段（例えばオネジ）９，９を介してそれぞれ固定され、かつ、フック状先端部８ｂは、トロヨケ２の上下の内壁面２ｂ，２ｂにそれぞれ当接する。したがって、特に符号を付さないが、保持板８及び可動コア３の上下壁３ｂ，３ｂの適宜箇所には、取り付け孔がそれぞれ形成されている。
【００２６】
しかして、上下一組の保持板８，８の先端部８ｂ，８ｂは、図７で示すように可動コア３の上下の動きに対応して弾性変形可能（弾性変形機能）である。しかも、これらの先端部８ｂ，８ｂは、図８で示すように、地震発生後、外的な衝撃力がなくなった瞬間、材質自体の弾性復帰力により、直ちに元の保持状態を確保するための働き（弾性復帰変形機能）をする。
【００２７】
（７）各部材の組み合わせ
次に各部材の組み合わせについて簡単に説明する。まずトロヨケ２と可動コア３とを一体的に組み合わせる。この時トロヨケ２の被係合部２２，２２に可動コア３の係合部３０，３０を係合させ、また上下の保持ピン２１，２１をトロヨケ２の上下の切欠部２０，２０と可動コア３の上下の挿通孔２８，２８にそれぞれ差し込む。
【００２８】
次にトロヨケ２のケース部１５をドア枠１の受入れ口１１に嵌め込み、上下の取付け片１７，１７をドア枠１の正面壁１０ａに面接触させる。そして、トロヨケ固着具４１，４１を可動コアの貫通孔１８，１８に合わせてドア枠のネジ孔１３，１３に螺締する。これによりトロヨケ２はドア枠１に固着される。
【００２９】
次にストライク４をトロヨケ２の上下の取付け片１７，１７を覆うようにする。しかる後にストライク固着具４０，４０を挿通孔３９，３９に合わせて可動コア３のネジ孔２７，２７に螺締する。螺締すると、上下の保持ピン２１，２１はトロヨケの小係合溝２０ａに確実に係合するから、図１に示すように、各部材２，３，４は一体的になる。なお、施錠片６の上面とストライク４の正面開口２８の上縁部との間には多少のリアランスがある。
【００３０】
図７は、ドア枠１が変形するような地震発生時における可動コア３の移動方向の一例を示す。前述したように、地震発生時、例えば施錠片６がドア枠１の変形によって施錠片６が傾倒し、或いは下降し、その下面と受け片３２の水平上板部３２ａとが互いに衝突し合った場合には、可動コア３がその受け片３２を介して施錠片６から強い衝撃力を受ける。
【００３１】
したがって、今仮に、図１の使用状態に於いて、ストライク４のカバー部本体３５の壁面に対して交差する方向Ｘの面外外力（外部の衝撃力）が発生すると同時に、カバー部本体３５の壁面に対して平行する方向Ｙの外力（外部の衝撃力）が同時に発生した場合には、ドア枠１とドア５との間でストライク４が水平〜垂直方向へと衝撃的に押圧されることになるから、その上下端部３６，３６は外拡変位してドア枠１の正面壁１０ａをトロヨケ方向Ｘ並びに上下方向Ｙへとスライドする。この時可動コア３の小係合突起３０，３０は変形し、或いは破壊してトロヨケ２の小孔２２から外れる。
【００３２】
しかし、保持ピン２１を介してトロヨケ４と可動コア３は一体であるから、トロヨケ４と可動コア３は、トロヨケ１内の後方空隙部４５及び上下の空隙部４６へと多方向へ後退上下動する。したがって、可動コア用保持ピン２１，２１は、可動コア３の後退上下動に対応してトロヨケ２の切欠部２０の小係合溝２０ａから幅広の保持ピン逃し部２０ｂへと移行する。保持板８の作用（弾性変形機能及び弾性復帰変形機能）については前述したとおりである。
【実施例】
【００３３】
まず、保持板８は、断面釣り針状に形成され、その基端部８ａは固定手段９を介して可動コア３の上下の壁面３ｂ，３ｂ或いはトロヨケ２の上下の内壁面２ｂ，２ｂにそれぞれ固定され、一方、フック状先端部８ａは、トロヨケ２の上下の内壁面２ｂ，２ｂ或いは可動コア３の上下の壁面３ｂ，３ｂにそれぞれ当接している。本実施例では、固着箇所の一例として保持板８を可動コア３の上下の壁面３ｂ，３ｂに固着したが、もちろん、保持板８を固定手段（固着、係合、溶着等）により、トロヨケ２の上下の内壁面２ｂ，２ｂに線対象に固定しても良い。
【００３４】
次に、保持板８は、少なくとも弾性変形機能を有していれば十分であるが、本実施例の保持板８は、可動コアの重量に耐えて通常の状態では形状が変形しない剛性的機能を有し、図１で示すように上下の空隙部４６，４６に上下バランス良く可動コアを保持すると共に、弾発性を有する材料で断面釣り針に形成され、地震発生後、外的な衝撃力がなくなった瞬間、材質自体の弾性復帰力により、直ちに元の保持状態を確保する弾性復帰変形機能を有する。
【００３５】
したがって、保持板８の形態に関しては、望ましくは、（ａ）剛性的機能、（ｂ）弾性変形機能、（ｃ）弾性復帰変形機能を有している限り、実施例の形状に限定するものではない。
【００３６】
次に、トロヨケ２の左右の側壁１５ｃ，１５ｃの上下の部位には、左右一対の野球のベース板形状切欠部２０，２０がそれぞれ計４個形成されているが、ドア側の錠前の構造如何によっては、その形状を適宜に変更し、また数を増減しても良い。
【００３７】
さらに、可動コアの左右の側壁３ｃ，３ｃの中央部には、地震発生時、錠前の施錠片の下面と当接可能な施錠片用受け片が固定的に一つ横設されているが、施錠片の上面と当接可能な状態にもう一つ受け片を横設しても良い。なお、施錠片用受け片の形状等は任意に設計変更可能である。また、例えば可動コアの左右の側壁に被係合部２２を形成し、一方、トロヨケの左右の側壁に前記被係合部２２に仮止め係合する係合部３０を設けることも均等事項である。
【００３８】
加えて、特許文献２に記載の補強枠体等を備えたドア用錠受け金具に、本発明の主要部を適用しても良い。
【００３９】
次に図９乃至図１１に示す第２実施例について説明する。なお、第２実施例の説明にあたって、第１実施例と同一の部分には、同一又は同様の符合を付して重複する説明を省略する。
【００４０】
第２実施例において、前記実施例と主に異なる点は、保持ピン用切欠部と挿通孔の形成対象を設計変更したことである。すなわち、図１０で示すようにトロヨケ２Ａの左右の側壁１５ｃ，１５ｃの方に保持ピン２１，２１用の挿通孔２８Ａ，２８Ａを上下にそれぞれ形成し、一方、可動コア３Ａの左右の側壁３ｃ，３ｃに、保持ピン逃がし用切欠部２０Ａ，２０Ａを上下にそれぞれ形成したことである。この実施例の上下の保持ピン２１，２１と上下の切欠部２０Ａ，２０Ａとの係合関係は、図９に示す通りである。保持板８Ａの形状、取り付け箇所、作用等については、第１実施例と同一なので、重複説明を省略する。
【００４１】
図９と第１実施例の図１とを比較すると、切欠部２０Ａ，２０Ａの向きが逆になっており、ストライク固着具４０，４０を螺締した時は、上下の保持ピン２１，２１は、トロヨケ２Ａ内の後方空隙部４５側に位置する小係合溝２０ａ，２０ａにそれぞれ係合する。このように設計変更しても第１実施例と同一の作用・効果がある。
【図面の簡単な説明】
【００４２】
図１乃至図８は本発明の第１実施例を示す各説明図。図９乃至図１１は本発明の第２実施例を示す各説明図
【図１】第１実施例の実施形態を示す概略説明図（通常の使用状態）。
【図２】分解斜視図。
【図３】可動コアと保持板との関係及び可動コアとストライクとの関係を示す分解斜視図。
【図４】主要部の平面視からの概略説明図。
【図５】平面から見た概略説明図。
【図６】地震発生時の可動コアの状態を示す概略断面説明図（平面視）。
【図７】地震発生時の可動コアの状態を示す概略断面説明図（側壁視）。
【図８】保持板の機能を示す概略説明図。
【図９】第２実施例の実施形態を示す概略説明図（通常の使用状態）。
【図１０】分解斜視図。
【図１１】地震発生時の可動コアの状態を示す概略断面説明図（側壁視）。
【符号の説明】
【００４３】
Ｘ…水平方向、Ｙ…上下方向、１…ドア枠、２，２Ａ…トロヨケ、２ｂ…トロヨケの上下内壁面、３，３Ａ…可動コア、３ａ…正面壁、３ｂ…可動コアの上下壁、３ｃ…左右の側壁、４…ストライク、５…ドア、６，７…施錠片、８，８Ａ…保持板、８ａ…基端部、８ｂ…先端部、９…固定手段、１０…角筒部、１０ａ…正面壁、１０ｂ…背面壁、１０ｃ…左右の側壁、１１…受入れ口、１２…ストライク用切欠溝、１３…ネジ孔、１５…角形ケース部、１５ｃ…左右の側壁、１６…開口、１７…取付け片、１８…貫通孔、２０，２０Ａ…切欠部、２０ａ…小係合溝、２０ｂ…保持ピン逃し部、２１…保持ピン、２２…被係合部、２５…前方開口、２６…凹所、２７…ネジ孔、２８，２８Ａ…挿通孔、３０…係合部、３１…後方開口、３２…施錠片用受け片、３２ａ…水平上板部、３５…カバー部本体、３６…傾斜状上下端部、３７…進入係合側壁、３８…正面開口、３９…挿通孔、４０…ストライク固着具、４１…トロヨケ固着具、４５…後方空隙部、４６…上下の空隙部。
【図１】
2006161415.tif 000003
【図２】
2006161415.tif 000004
【図３】
2006161415.tif 000005
【図４】
2006161415.tif 000006
【図５】
2006161415.tif 000007
【図６】
2006161415.tif 000008
【図７】
2006161415.tif 000009
【図８】
2006161415.tif 000010
【図９】
2006161415.tif 000011
【図１０】
2006161415.tif 000012
【図１１】
2006161415.tif 000013